(57)【要約】所望のキャリアの周辺の帯域を通過するとともに音声復調の性能が妨害されない、入力信号、特に、ＩＦ（中間周波数）入力信号、例えば、受信テレビジョン信号のような音声信号を処理するフィルタ装置及び方法を提供するために、画像除去する少なくとも一つの受動ポリフェーズフィルタ段（５０）と、受動ポリフェーズフィルタ段（５０）に結合され、受動ポリフェーズフィルタ段（５０）の減衰要求を軽減するために帯域通過及び画像除去の寄与を行う少なくとも一つの能動ポリフェーズフィルタ段（６０）とを提案する。
2008533941.tif 000002
【特許請求の範囲】
【請求項１】
入力信号を処理するフィルタ装置において、
画像除去のための少なくとも一つの受動ポリフェーズフィルタ段と、
前記受動ポリフェーズ段に結合され、前記受動ポリフェーズフィルタ段の減衰要求を緩和するために帯域通過及び画像除去の寄与を行う少なくとも一つの能動ポリフェーズフィルタ段とを具えることを特徴とするフィルタ装置。
【請求項２】
請求項１記載のフィルタ装置において、少なくとも一つの規定された又は所望のキャリア周波数の帯域通過を施し、音声復調の性能が妨害されず、かつ、最適な信号対雑音比を取得するように、前記受動ポリフェーズフィルタ段及び前記受動ポリフェーズ段をカスケード接続したことを特徴とするフィルタ装置。
【請求項３】
請求項１又は２記載のフィルタ装置において、前記能動ポリフェーズフィルタ段が、少なくとも一つの合成ビデオ信号内の音声信号を選択することを特徴とするフィルタ装置。
【請求項４】
請求項１から３のうちのいずれか１項に記載のフィルタ装置において、前記能動ポリフェーズフィルタ段又は帯域通過が、内部インピーダンスレベルを生じてフィルタ中間周波数を変更する少なくとも一つの切替入力信号によって種々のキャリア周波数に切り替わることを特徴とするフィルタ装置。
【請求項５】
少なくとも一つの弾性表面波フィルタ段と、
前記弾性表面波フィルタ段の出力信号を増幅する少なくとも一つの増幅段と、
前記増幅段の出力信号を処理する少なくとも一つの同相／直交ミキサ段とを具える電気又は電子回路装置において、
請求項１から４のうちの少なくとも１項に記載されたフィルタ装置に、前記同相／直交ミキサ段の出力信号を供給することを特徴とする電気又は電子回路装置。
【請求項６】
請求項５記載の電気又は電子回路装置において、前記ポリフェーズフィルタ段に同調する少なくとも一つの制御ループを具えることを特徴とする電気又は電子回路装置。
【請求項７】
請求項６記載の電気又は電子回路装置において、前記制御ループが、
少なくとも一つの基準信号が供給される少なくとも一つの基準フィルタ段と、
前記基準信号及び前記基準フィルタ段の出力信号が供給される少なくとも一つの位相検出段と、
前記位相検出段の出力信号が供給されるとともに制御電圧を前記能動ポリフェーズフィルタ段及び基準フィルタ段に供給する少なくとも一つの蓄電段とを具えることを特徴とする電気又は電子回路装置。
【請求項８】
入力信号を処理する方法において、
少なくとも一つの受動ポリフェーズフィルタ段によって画像を除去し、
前記受動ポリフェーズフィルタ段に結合された少なくとも一つの能動ポリフェーズフィルタ段によって帯域通過処理を施すことを特徴とする方法。
【請求項９】
請求項８記載の方法において、
少なくとも一つの規定された又は所望のキャリア周波数の帯域通過処理を施し、
音声復調の性能を妨害せず、
最適な信号対雑音比を取得することを特徴とする方法。
【請求項１０】
請求項８又は９記載の方法において、前記能動ポリフェーズフィルタ段の帯域通過が、内部インピーダンスレベルを生じてフィルタ中間周波数を変更する少なくとも一つの切替入力信号によって種々のキャリア周波数に切り替わることを特徴とする方法。
【請求項１１】
少なくとも一つの半導体ベースのオーディオチューナ及び／又はビデオチューナ信号アプリケーションの請求項１から４のうちの少なくとも１項に記載の少なくとも一つのフィルタ装置及び／又は請求項５から７のうちの少なくとも１項に記載の少なくとも一つの回路装置及び／又は請求項８から１０のうちの少なくとも１項に記載の方法の使用。
【発明の詳細な説明】
【技術分野】
【０００１】
本発明は、入力信号、特に、ＩＦ（中間周波数）入力信号、例えば、受信テレビジョン信号のような音声信号を処理するフィルタ装置に関する。
【０００２】
また、本発明は、
少なくとも一つの弾性表面波フィルタ段、特に、少なくとも一つの外部窓弾性表面波フィルタと、
弾性表面波フィルタ段の出力信号を増幅する少なくとも一つの増幅段と、
前記増幅段の出力信号を処理し、特に、少なくとも一つの電圧制御発振段の出力信号により増幅音声ＩＦ（中間周波数）入力信号を下側周波数に至るまで混合する少なくとも一つの同相／直交ミキサ段とを具える電気又は電子回路装置、特に音声処理経路に関する。
【０００３】
さらに、本発明は、入力信号、特に、ＩＦ（中間周波数）入力信号、例えば、受信テレビジョン信号のような音声信号を処理する方法に関する。
【背景技術】
【０００４】
ＴＶ（テレビジョン）放送は、（例えば、ケーブル伝送に対して）互いに隣接することができるマルチチャネルで行われる。受信に際し、所望のチャネルを、隣接する不所望なチャネルから分離する必要がある（いわゆるチャネル選択）。さらに、復調に際し、単一のキャリアを、所望のチャネル内の他のキャリアから分離する必要がある（いわゆるキャリア選択）。
【０００５】
従来、チャネルの選択は、主に、適合された形状ＳＨＡを有する外部ＳＡＷ（弾性表面波）フィルタ（図１において、参照符号ＦＩＬ）によって行われている。これに関連して、図１は、外部窓弾性表面波フィルタＦＩＬが所望のチャネルを選択する従来の音声処理経路ＳＰＰを示す。
【０００６】
全体の（アナログ）ＴＶ信号ＳＩＮは、増幅器ＡＭＰによって増幅され、ＩＱ（同相／直交）ミキサＩＱＭに供給される。このミキサＩＱＭは、減少した位相シフト（０°）を有する第１成分Ｓ１及び９０°の位相シフトを有する第２成分Ｓ２を有するＶＣＯ信号Ｓ１，Ｓ２を、電圧制御発振器ＶＣＯから受信し、
増幅した音声ＩＦ（中間周波数）入力信号ＳＩＮを下側周波数に至るまで混合する。
【０００７】
図１に示すように、低域通過フィルタ又は実帯域通過フィルタＲＢＰは、受信したチャネルの画像信号（画像キャリアＰＣ、カラーキャリアＣＣ）と、隣接する下のチャネルの信号、特に、画像キャリアＰＣＮ−１とを弱める。
【０００８】
図２は、従来の音声キャリアの周波数状態及び一部の周波数成分の周波数状態を示す。所望の音声キャリアＳＣ１，ＳＣ２は、（ＮＴＳＣ(National Television Systems Committee)の４．５ＭＨｚ（メガヘルツ）、４．７４ＭＨｚ（メガヘルツ）のそれぞれに対する）第２音声中間周波数を有する。
【０００９】
キャリアの選択が主に外部ＳＡＷ（弾性表面波）フィルタＦＩＬによって行われるので、多種多様のＳＡＷフィルタが従来のマルチスタンダードアプリケーションに必要である（参照符号ＲＢＳを有する低域通過フィルタの選択又は実帯域通過フィルタの選択。図２参照）。
【００１０】
マルチスタンダードＴＶ（テレビジョン）信号受信に対して知られている現在の考えは、必要な弾性表面波フィルタの数の減少を試みることである。デジタルＴＶを含むあり得る全てのＴＶ規格をカバーするために、二つの窓ＳＡＷフィルタが用いられ、一方は、６ＭＨＺ（メガヘルツ）の帯域幅を有し、他方は８ＭＨｚ（メガヘルツ）の帯域幅を有する。
【００１１】
しかしながら、従来の考えにおいて、隣接チャネルを抑えるために、部分的に高い要求を有する画像除去が必要とされる。これに関連して、チャネル選択ができるだけ多くの統合によって行われるよう試みられている。そのような従来の考えにおけるアナログＴＶ音声処理の予測は、ＴＶ信号の第２音声中間周波数キャリアが下側周波数において所望の帯域の画像キャリアＰＣ及びカラーキャリアＣＣによって包囲されるとともに上側周波数において隣接チャネルの画像キャリアＰＣ及びＩＱ（同相／直交）ミキサＩＱＭの高次の高調波によって包囲されていることを示す。
【００１２】
全ての周波数成分は不所望であり、音声復調の動作を妨害する。周波数に依存するＴＶ規格での所望の音声キャリア周辺の帯域通過動作が必要となる。
【００１３】
これに関連して、フィルタの同調及び周波数切替の基本原理が知られている。複雑なフィルタ処理又はポリフェーズフィルタ処理の基本原理は、帯域通過フィルタに供給されるポリフェーズフィルタ出力を言及する従来技術文献の米国特許第６，３７７，３１５号に開示されている。
【００１４】
従来技術文献の米国特許第６，３７７，３１５号において、画像の除去を行うためにポリフェーズ回路段が（おそらく受動の）ポリフェーズフィルタとして用いられる。さらに、二つの実帯域通過フィルタが設けられ、これら帯域通過フィルタの一方は、Ｉ（同相）経路に割り当てられ、これら帯域通過フィルタの他方は、Ｑ（直交）経路に割り当てられる。しかしながら、能動制御ポリフェーズフィルタが示されていない。
【００１５】
従来技術文献“A 900-MHz Dual-Conversion Low-IF GSM Receiver in 0.35-μm CMOS”by Shaharzad Tadjpour et al., IEEE Journal Of Solid State Circuits, Vol. 36, No. 12, December 2001において、本発明の技術背景を言及するとともにミキサを有するカスケード接続された二つのポリフェーズフィルタ（＝受動ポリフェーズフィルタ及び能動ポリフェーズフィルタ）を設けたシステムが開示されている。これら二つのポリフェーズフィルタ間で、周波数状態が混合により１回変化する。受動ポリフェーズフィルタは、次の混合の際に画像除去を行い、能動ポリフェーズフィルタは切替自在である。
【００１６】
従来技術文献の米国特許第６，２３６，８４７号において、二つの受動ポリフェーズフィルタが、隣接の選択及び画像除去を行うために直列で用いられる。従来技術文献の米国特許第６，２３６，８４７号によって、受動ポリフェーズフィルタ処理の技術が示されている。この場合、二つのポリフェーズフィルタは、負の周波数範囲をそれぞれ抑制し、帯域通過特性を維持するために周波数の混合が二つの受動ポリフェーズフィルタ間で必要となり、結果的に得られる周波数範囲は、入力周波数に依存する。１を超えるチャネルが通過するので、狭帯域チャネルの選択がなく、とくに、キャリアの選択がない。
【発明の開示】
【００１７】
これまで説明した不都合及び欠点から開始し、議論した従来技術を考慮すると、本発明の目的は、所望のキャリア周辺で帯域通過動作を行うとともに音声復調動作が妨害されないように、技術分野で説明した種類のフィルタ装置、技術分野で説明した種類の回路装置及び技術分野で説明した種類の方法を更に開発することである。
【００１８】
本発明の目的は、請求項１の特徴を具えるフィルタ装置、請求項５の特徴を具える回路装置及び請求項８の特徴を具える方法によって達成される。本発明の好適な実施の形態及び更なる向上を、従属項にそれぞれ開示する。
【００１９】
本発明は、原理的には、統合されたチャネル及びキャリア選択に対して少なくとも二つのポリフェーズフィルタを組み合わせる概念に基づき、この場合、
ポリフェーズフィルタの少なくとも一つを、受動ポリフェーズフィルタとし、
ポリフェーズフィルタの少なくとも一つを、特に同一周波数状態の能動ポリフェーズフィルタとする。
【００２０】
これに関連して、少なくとも一つの受動ポリフェーズフィルタ段は、画像除去を行い、少なくとも一つの能動ポリフェーズフィルタ段は、帯域通過用であり、受動ポリフェーズフィルタ段の減少の要求を緩和するために画像除去に寄与する。
【００２１】
したがって、能動ポリフェーズフィルタは、受動ポリフェーズフィルタのＩＲ（画像除去）仕様を促進し及び／又はサポートする（このような促進及び／又はサポートがない場合、ＩＲ（画像除去）を受動ポリフェーズフィルタのみによって実現する必要がある。）。換言すれば、能動ポリフェーズフィルタ段も画像除去を行う。
【００２２】
ポリフェーズフィルタ処理を利用することによって、最適な信号対雑音比が得られる。負の周波数は雑音に寄与しない。
【００２３】
本発明の好適な実施の形態によれば、少なくとも一つの受動ポリフェーズフィルタ及び特に少なくとも一つの能動ポリフェーズ帯域通過フィルタとして実施される少なくとも一つの能動ポリフェーズフィルタが、少なくとも一つの規定され又は所望のキャリア周波数周辺で帯域通過動作が行われ、音声復調動作が妨害されず、かつ、最適な信号対雑音比が得られるようにカスケード接続される。
【００２４】
本発明の好適な実施の形態によれば、能動ポリフェーズ帯域通過フィルタは、
特に、以前の受動ポリフェーズフィルタ段の減衰の要求を緩和するために少なくとも一つの合成ビデオ信号内で音声信号を選択し、及び／又は
不所望な画像信号（画像キャリアＰＣ、色キャリアＣＣ）及び隣接チャネル信号（ＰＣ，ＣＣ，ＳＣ（音声キャリア）（Ｎ＋１）／（Ｎ−１））を減少する。
【００２５】
本発明の利点に関して、統合の労力は、必要な画像除去の要求を二つ（又はそれ以上）のフィルタ、すなわち、
要求が減少した画像除去を行う少なくとも一つの第１の（受動）ポリフェーズフィルタ及び
音声信号に帯域通過特性を導入するとともに画像除去にも寄与する少なくとも一つの第２の（能動）ポリフェーズフィルタに分割することによって少なくなる。これに関連して、ポリフェーズ帯域通過フィルタは、以前の画像除去フィルタの減衰要求を緩和する。その理由は、ポリフェーズ帯域通過フィルタが画像除去にも寄与するからである。
【００２６】
本発明による実現によって、アプリケーションの労力（四つの外部セラミック帯域通過フィルタ）は、一つ（又はそれ以上）の規格に依存する切替フィルタに統合することによって減少する。アプリケーションから独立してもアプリケーションと組み合わせても、規格に依存する切替及び同調統合帯域通過フィルタによる統合に小領域しか必要としない。
【００２７】
本発明を用いることによって、広い周波数範囲に亘って均等な帯域通過特性を許容し、一方、実帯域通過は、周波数に同調することによって両側の急峻さを変化させる。
【００２８】
本発明の方法によれば、入力信号、特に、ＩＦ（中間周波数）入力信号、例えば、受信テレビジョン信号のような音声信号は、
少なくとも一つの受動ポリフェーズフィルタ段によって画像を除去し、
前記受動ポリフェーズフィルタ段に結合された少なくとも一つの能動ポリフェーズフィルタ段によって帯域通過処理を施すことによって処理される。
【００２９】
さらに、本発明の方法の好適な実施の形態によれば、
少なくとも一つの規定された又は所望のキャリア周波数の帯域通過処理を施し、
音声復調の性能を妨害せず、
最適な信号対雑音比を取得する。
【００３０】
本発明を、チャネル選択に用いることができ、特に、ＩＱ（同相／直交）混合又はＩＱ（同相／直交）信号の内部発生によるＩＦ（中間周波数）処理を含むＴＶ（テレビジョン）信号処理を行うあらゆるアナログＩＣ（集積回路）における音声処理に用いることができる。本発明を、例えば、音声ＡＭ（振幅変調）及びＦＭ（周波数変調）処理を含む正及び負の変調を行う調整のないマルチスタンダード（ＰＡＬ(Phase Alternation Line), ＳＥＣＡＭ(Sequential Couleur A Memorie) 及びＮＴＳＣ(National Television Standards Committee)）ビジョン及び音声ＩＦ(Intermediate Frequency)信号ＰＬＬ(Phase Locked Loop)復調器に用いることができる。
【００３１】
本発明は、例えば、少なくとも一つのコンピュータモニタ、少なくとも一つのＰＣ（パーソナルコンピュータ）、少なくとも一つのＳＴＢ（セットトップボックス）、少なくとも一つのＴＶ（テレビジョン）セット、少なくとも一つのＶＤＲ（ビデオカセットレコーダ）及び／又は少なくとも一つのＶＴＲ（ビデオテープレコーダ）等のような少なくとも一つの集積ＲＦ（無線周波数）信号処理フロントエンドモジュールにおける少なくとも一つの半導体ベースのオーディオチューナ及び／又はビデオチューナ信号アプリケーションの既に説明した少なくとも一つのフィルタ装置及び／又は既に説明した少なくとも一つの回路装置及び／又は既に説明した方法の使用に関する。
【００３２】
既に説明したように、本発明の教示を好適に実施し及び向上する複数のオプションが存在する。このために、独立項である請求項１，５，８を参照されたい。本発明の他の向上、特徴及び利点を、添付図面を用いて好適な実施の形態を参照しながら更に詳しく説明する。
【発明を実施するための最良の形態】
【００３３】
同一参照符号を、図１〜５の対応するパーツに用いる。
【００３４】
既に説明したように、知られている現行のＴＶ（テレビジョン）ＩＦ（中間周波数）の考えは、特別な特徴を有する種々のＳＡＷ（弾性表面波）フィルタの外部の選択を、異なる二つの帯域幅を有する窓ＳＡＷフィルタの使用まで減少する。説明する新たな提案は、画像除去のために受動ポリフェーズフィルタを組み合わせる、すなわち、画像除去選択ＳＩＲ（図４参照）を行うことによる選択の漏れを、復調及び復号のために必要なチャネル及びキャリア選択を行う能動同調ポリフェーズフィルタ６０に置換する（参照符号ＳＩＴを有する統合されたトラッキング帯域通過フィルタによる選択。図４参照）。
【００３５】
換言すれば、例えばＴＶ受信機におけるアナログ音声処理における向上したチャネル選択、容易な実現、小さい領域、簡単なアプリケーション、最適な信号対雑音比及び広い周は周範囲に亘る均等な動作のために、受動ポリフェーズフィルタ５０及び能動同調ポリフェーズ帯域通過フィルタ６０がカスケード接続される。
【００３６】
更に詳細には、図３は、外部窓弾性表面波フィルタ１０が所望のチャネルを選択する本発明による音声処理経路１００を示す。
【００３７】
全体の（アナログ）ＴＶ信号ＳＩＮは、増幅器２０によって増幅され、ＩＱ（同相／直交）ミキサ３０に供給される。このミキサ３０は、
減少した位相シフト（０°）を有する第１成分Ｓ１及び９０°の位相シフトを有する第２成分Ｓ２を有するＶＣＯ信号Ｓ１，Ｓ２を、電圧制御発振器４０から受信し、
増幅した音声ＩＦ（中間周波数）入力信号ＳＩＮを下側周波数に至るまで混合する。
【００３８】
図４は、所望のキャリア及び一部の不所望なキャリア、すなわち、音声キャリア及び一部の周波数応答の周波数状態を示す。所望の音声キャリアＳＣ１，ＳＣ２は、（ＮＴＳＣ(National Television Systems Committee)の４．５ＭＨｚ（メガヘルツ）と４．７４ＭＨｚ（メガヘルツ）のそれぞれに対する）第２の音声中間周波数を有する。
【００３９】
図３及び４に示すように、ＩＲＦ（画像除去フィルタ）又は受動ポリフェーズフィルタ５０は、隣接する上のチャネルＮ＋１を抑制する。さらに、所望のチャネルの音声キャリアＳＣ１，ＳＣ２を選択するために、能動同調ＰＰＢＰ（ポリフェーズ帯域通過）フィルタ６０が導入される。
【００４０】
実帯域通過のように、ポリフェーズ帯域通過６０は、受信チャネルの画像信号ＰＣ（画像キャリア）、ＣＣ（カラーキャリア）及び隣接する下のチャネルの信号、特に、画像キャリアＰＣＮ−１を減衰する。しかしながら、さらに、ポリフェーズ帯域通過６０は、画像の抑制に十分に寄与し、すなわち、必要な画像の抑制ｚ［ｄＢ］が、画像除去フィルタ５０（必要な画素の抑制ｚ［ｄＢ］の第１の部分ｘ［ｄＢ］）及びポリフェーズ帯域通過フィルタ６０（必要な画素の抑制ｚ［ｄＢ］の第２の部分ｙ［ｄＢ］）によって分担され、ｚ［ｄＢ］＝ｘ［ｄＢ］＋ｙ［ｄＢ］となる。このような分担は、画像除去フィルタ５０の内部での労力（零未満の強制）を緩和する。
【００４１】
帯域通過に対して高い周波数精度を達成するようプロセスの展開、温度依存性及び電圧依存性を処理するために、能動ポリフェーズ帯域通過フィルタ６０は、図５に示すような制御ループ２００によって同調され、種々の第２音声中間周波数（第１音声キャリアに対して４．５ＭＨｚ（メガヘルツ）／５．５ＭＨｚ／６．０ＭＨｚ／６．５ＭＨｚ／６．５ＭＨｚ）を有する種々のＴＶ（テレビジョン）規格（ＭＮ，ＢＧ，Ｉ，ＤＫ及びＬ／Ｌ’）に適合できるよう切替自在である。
【００４２】
換言すれば、ポリフェーズ帯域通過フィルタ６０は、プロセス展開、温度依存性及び電圧依存性の労力を図５の制御ループ２００によって減少するための同調フィルタとなる。帯域通過フィルタ６０は、種々のキャリア周波数に整合するよう切替自在でもある。
【００４３】
更に詳細には、図５は、直接又は基準フィルタ７０を通じて基準信号ＳＲＥＦを受信する位相検出器８０を示す。基準フィルタ７０は、基準信号ＳＲＥＦの位相を公称値だけシフトする。位相検出器８０は、基準信号ＳＲＥＦの元の位相と基準信号ＳＲＥＦのシフトした位相とを比較し、コンデンサ９０に蓄積されるとともに制御電圧ＣＶＯを付与するソース出力電流又はシンクＳＯＣを発生する。
【００４４】
この制御電圧ＣＶＯは、制御ループ２００が安定状態になるよう基準信号ＳＲＥＦの位相をシフトするために基準フィルタ７０を所望の周波数に同調するのに用いられる。制御電圧ＣＶＯは、ポリフェーズ帯域通過フィルタ６０を制御するのにも用いられ、これによって、基準フィルタ７０に整合する。
【００４５】
帯域通過を種々のキャリア周波数に切り替えるために、ポリフェーズ帯域通過フィルタ６０は、内部インピーダンスレベルを発生してフィルタ中間周波数を変更する基準切替入力信号ＳＳＳを取得する。
【００４６】
基準番号のリスト
１００  回路配置、特に、音声処理経路
１０  外部窓弾性表面波フィルタ
２０  増幅器
３０  同相／直交ミキサ
４０  電圧制御発振器
５０  画像除去フィルタ及び／又は受動ポリフェーズフィルタ
６０  同調帯域通過フィルタ及び／又は能動ポリフェーズフィルタ
７０  基準フィルタ
８０  位相検出器
９０  コンデンサ
２００  制御ループ
Ａ  振幅、特に、信号振幅
ＡＭＰ  増幅器（従来技術。図１参照）
ＣＣ  カラーキャリア
ＣＶＯ  制御電圧
ｆ  周波数
ＦＩＬ  外部窓弾性表面波フィルタ（＝従来技術。図１参照）
Ｉ  同相
ＩＱＭ  同相／直交ミキサ（＝従来技術。図１参照）
Ｎ＋１  隣接する上のチャネル
ＰＣ  画像キャリア
Ｑ  直交
ＲＢＰ  低域通過フィルタ又は実帯域通過フィルタ（＝従来技術。図１参照）
ＲＢＳ  低域通過フィルタの選択又は実帯域通過フィルタの選択（＝従来技術。図２参照）
ＳＣ１  第１の所望の音声キャリア
ＳＣ２  第２の所望の音声キャリア
ＳＨＡ  弾性表面波フィルタの適合された形状
ＳＩＮ  ＩＦ（中間周波数）入力信号、特に、アナログＩＦ（中間周波数）入力信号
ＳＩＲ  画像除去選択
ＳＩＴ  統合されたトラッキング帯域通過フィルタによる選択
ＳＯＣ  ソース出力電流又はシンク出力電流
ＳＯＵＴ  出力信号
ＳＰＰ  回路配置、特に、音声処理経路（＝従来技術。図１参照）
ＳＲＥＦ  基準信号
ＳＳＳ  規格切替入力信号
Ｓ１  減少する位相シフト（０°）を具える、電圧制御発振器ＶＣＯからの第１信号
Ｓ２  ９０°の位相シフトを具える、電圧制御発振器ＶＣＯからの第２信号
ＶＣＯ  電圧制御発振器（＝従来技術。図１参照）
ｘ［ｄＢ］  必要な画像抑制ｚ［ｄＢ］の第１部分
ｙ［ｄＢ］  必要な画像抑制ｚ［ｄＢ］の第２部分
ｚ［ｄＢ］  必要な画像抑制（ｚ［ｄＢ］＝ｘ［ｄＢ］＋ｙ［ｄＢ］）
【図面の簡単な説明】
【００４７】
【図１】図１は、回路装置、特に、音声処理経路の従来例のブロック図を線形的に示す。
【図２】図２は、従来のキャリアの振幅対周波数及び周波数応答の図を線形的に示す。
【図３】図３は、本発明の方法に従って動作する、本発明によるフィルタ装置の実施の形態を具える回路配置、特に、音声処理経路の実施の形態のブロック図を線形的に示す。
【図４】図４は、本発明によるキャリアの振幅対周波数及び周波数応答を線形的に示す。
【図５】図５は、本発明の方法に従って動作する、本発明による制御ループによって制御される切替自在かつ同調可能なポリフェーズフィルタの実施の形態のブロック図を線形的に示す。
【図１】
2008533941.tif 000003
【図２】
2008533941.tif 000004
【図３】
2008533941.tif 000005
【図４】
2008533941.tif 000006
【図５】
2008533941.tif 000007
【国際調査報告】
2008533941.tif 000008
2008533941.tif 000009
2008533941.tif 000010